(57)【要約】【課題】本発明は、電圧変換チップのフィードバックピンの静電気を除去することができる静電気放電保護回路を提供することを目的とする。【解決手段】本発明の静電気放電保護回路は、入力電圧を出力電圧に変換する電圧変換チップを備え、前記電圧変換チップは、フィードバック信号を受信するフィードバックピン及び前記出力電圧を出力する出力ピンを備え、前記フィードバックピンは、前記出力ピンに接続され、前記電圧変換チップは、前記フィードバック信号に基づいて前記出力電圧を調節して、前記出力電圧の安定を確保し、前記フィードバックピンとグラウンドとの間に静電気放電素子が接続され、前記静電気放電素子は、前記フィードバックピンの静電気を除去する。【選択図】図１
2013106513.tif 000002
【特許請求の範囲】
【請求項１】
入力電圧を出力電圧に変換する電圧変換チップを備え、
前記電圧変換チップは、フィードバック信号を受信するフィードバックピン及び前記出力電圧を出力する出力ピンを備え、
前記フィードバックピンは、前記出力ピンに接続され、
前記電圧変換チップは、前記フィードバック信号に基づいて前記出力電圧を調節して、前記出力電圧の安定を確保する静電気放電保護回路であって、前記フィードバックピンとグラウンドとの間に接続される静電気放電素子をさらに備え、
前記静電気放電素子は、前記フィードバックピンの静電気を除去することを特徴とする静電気放電保護回路。
【請求項２】
前記静電気放電素子は、キャパシターを備え、前記キャパシターの一端は、前記フィードバックピンに接続され、前記キャパシターの他端は接地されることを特徴とする請求項１に記載の静電気放電保護回路。
【請求項３】
前記静電気放電素子は、ツェナダイオードを備え、前記ツェナダイオードの陰極は、前記フィードバックピンに接続され、前記ツェナダイオードの陽極は接地されることを特徴とする請求項１に記載の静電気放電保護回路。
【請求項４】
前記静電気放電保護回路は、前記出力ピンと前記フィードバックピンとの間に接続される分圧回路をさらに備え、
前記分圧回路は、前記出力電圧を分圧して前記フィードバック信号を発生させることを特徴とする請求項１に記載の静電気放電保護回路。
【請求項５】
前記分圧回路は、第一分圧レジスター及び第二分圧レジスターを備え、前記第一分圧レジスターの一端は、前記出力ピンに接続され、前記第一分圧レジスターの他端は、前記第二分圧レジスターを介して接地され、前記フィードバックピンは、前記第一分圧レジスターと前記第二分圧レジスターとの間に接続されることを特徴とする請求項４に記載の静電気放電保護回路。
【発明の詳細な説明】
【技術分野】
【０００１】
本発明は、静電気放電保護回路に関するものである。
【背景技術】
【０００２】
静電気放電によって、電子素子は損傷する、又は電子素子の性能が落ち、製品に予め故障が発生してしまう可能性がある。電圧変換チップを例に挙げると、電圧変換チップはフィードバックピンを有し、フィードバックピンは、電圧変換チップが生じる出力電圧に対してサンプリングを行い、フィードバック信号を発生させ、電圧変換チップは、フィードバック信号に基づいて出力電圧の大きさを調節して、出力電圧の安定を確保する。静電気放電によって、フィードバックピンは損傷する、又はフィードバックピンの性能が落ち、電圧変換チップが発生させる出力電圧が不安定になる可能性がある。
【発明の概要】
【発明が解決しようとする課題】
【０００３】
本発明の目的は、前記課題を解決し、電圧変換チップのフィードバックピンの静電気を除去することができる静電気放電保護回路を提供することである。
【課題を解決するための手段】
【０００４】
本発明に係る静電気放電保護回路は、入力電圧を出力電圧に変換する電圧変換チップを備え、前記電圧変換チップは、フィードバック信号を受信するフィードバックピン及び前記出力電圧を出力する出力ピンを備え、前記フィードバックピンは、前記出力ピンに接続され、前記電圧変換チップは、前記フィードバック信号に基づいて前記出力電圧を調節して、前記出力電圧の安定を確保し、前記フィードバックピンとグラウンドとの間に静電気放電素子が接続され、前記静電気放電素子は、前記フィードバックピンの静電気を除去する。
【発明の効果】
【０００５】
本発明の静電気放電保護回路は、電圧変換チップのフィードバックピンとグラウンドとの間に静電気放電素子を設置することにより、前記フィードバックピンの静電気を効果的に除去することができる。
【図面の簡単な説明】
【０００６】
【図１】本発明の実施形態に係る静電気放電保護回路の機能ブロック図である。
【図２】図１に示す静電気放電保護回路の静電気放電素子の第一実施形態の回路図である。
【図３】図１に示す静電気放電保護回路の静電気放電素子の第二実施形態の回路図である。
【発明を実施するための形態】
【０００７】
以下、図面を参照して、本発明の実施形態について説明する。
【０００８】
図１及び図２を参照すると、本発明の実施形態に係る静電気放電保護回路１００は、電圧変換チップ１０と、分圧回路２０と、静電気放電素子３０と、を備える。電圧変換チップ１０は、入力ピン１２、出力ピン１４及びフィードバックピン１６を備える。電圧変換チップ１０は、入力ピン１２が受ける入力電圧Ｖｉを出力電圧Ｖｏに変換し、且つ出力ピン１４を介して出力電圧Ｖｏを出力する。本実施形態において、電圧変換チップ１０は、直流/直流電圧変換チップである。他の実施形態において、電圧変換チップ１０は、交流/直流電圧変換チップであってもよい。
【０００９】
分圧回路２０は、出力ピン１４とフィードバックピン１６との間に接続される。分圧回路２０は、出力電圧Ｖｏに対して分圧してフィードバック信号を生じてフィードバックピン１６に提供する。電圧変換チップ１０は、フィードバック信号に基づいて出力電圧Ｖｏを調節し、出力電圧Ｖｏの安定を確保する。
【００１０】
分圧回路２０は、第一分圧レジスターＲ１及び第二分圧レジスターＲ２を備える。第一分圧レジスターＲ１の一端は、出力ピン１４に接続され、第一分圧レジスターＲ１の他端は、第二分圧レジスターＲ２を介して接地される。フィードバックピン１６は、第一分圧レジスターＲ１と第二分圧レジスターＲ２との間に接続される。他の実施形態において、静電気放電保護回路１００は、分圧回路２０を備えなくてもよく、この場合、フィードバックピン１６は、出力ピン１４に接続され、出力ピン１４から出力する出力電圧Ｖｏはフィードバック信号としてフィードバックピン１６に提供される。
【００１１】
静電気放電素子３０は、フィードバックピン１６とグラウンドとの間に接続されて、フィードバックピン１６の静電気を除去するために用いられる。図２を参照すると、第一実施形態において、静電気放電素子３０はキャパシターＣ１を備え、キャパシターＣ１の一端は、フィードバックピン１６に接続され、キャパシターＣ１の他端は接地される。キャパシターＣ１の電気容量値の範囲は、１００ｐＦ〜１０００ｐＦであり、キャパシターＣ１の電気容量値が小さいので、高周波の信号を効果的に除去することができ、即ちフィードバックピン１６の静電気を効果的に除去することができる。
【００１２】
図３を参照すると、第二実施形態において、静電気放電素子３０は、ツェナダイオードＤ１を備え、ツェナダイオードＤ１の陰極は、フィードバックピン１６に接続され、ツェナダイオードＤ１の陽極は接地される。
【００１３】
静電気放電保護回路１００は、電圧変換チップ１０のフィードバックピン１６とグラウンドとの間に静電気放電素子３０を設置することにより、フィードバックピン１６の静電気を効果的に除去することができる。
【００１４】
以上、本発明を実施形態に基づいて具体的に説明したが、本発明は、上述の実施形態に限定されるものではなく、その要旨を逸脱しない範囲において、種々の変更が可能であることは勿論であって、本発明の技術的範囲は、添付の特許請求の範囲から決まる。
【符号の説明】
【００１５】
１０  電圧変換チップ
１２  入力ピン
１４  出力ピン
１６  フィードバックピン
２０  分圧回路
３０  静電気放電素子
１００  静電気放電保護回路
Ｒ１  第一分圧レジスター
Ｒ２  第二分圧レジスター
Ｃ１  キャパシター
Ｄ１  ツエナダイオード
【図１】
2013106513.tif 000003
【図２】
2013106513.tif 000004
【図３】
2013106513.tif 000005